(57)【特許請求の範囲】
【請求項１】
光が透過可能な透明材料で板状に形成され、表面と該表面の反対側に位置する裏面とを有する表示板と、
前記表示板の裏面に配置され、印刷により光が透過する部分と該光が透過しない部分とが形成されそれら部分により記号、文字、模様の少なくとも１つからなる表示部が形成された印刷物と、
前記表示板すべてを覆う大きさの輪郭を有する光出射面および光を導入するための光導入面を有する導光部材を含み、前記印刷物を挟んで前記表示板と反対側の箇所から前記表示部に向けて光を照射する照明部とを備え、
前記表示板は、
前記表示板の裏面にヘアラインを呈する凹凸形状がメジウムを用いて印刷されることで形成されたヘアライン印刷層と、
前記ヘアライン印刷層の前記表示板の裏面に臨む面と反対側の面に形成され、前記照明部からの光を透過あるいは半透過させるパールインク印刷層と、
前記パールインク印刷層の前記表示板の裏面に臨む面と反対側の面に光を透過しない材料で形成された光を透過しない隠蔽層と、
前記隠蔽層が形成されていない前記パールインク印刷層の反対側の面の部分によって構成された光が透過可能な光透過領域と、
前記光透過領域に形成された暗色半透明を呈するスモーク印刷層とを備え、
前記表示部と前記光透過領域と前記スモーク印刷層とは、前記表示板の厚さ方向において一致した箇所に配置されている
表示装置。
【請求項２】
前記印刷物は、前記表示板と別体に構成された透明なシートに光を透過しないインクが印刷されることで形成されている、
請求項１記載の表示装置。
【請求項３】
前記スモーク印刷層が前記光透過領域に臨む面と反対側の面に前記印刷物が形成され、前記印刷物は、前記スモーク印刷層を介して前記表示面の裏面に設けられている、
請求項１記載の表示装置。
【発明の詳細な説明】
【技術分野】
【０００１】
本発明は表示装置に関する。
【背景技術】
【０００２】
電子機器には、多くの場合、動作状態や操作内容を表示する表示装置が設けられている。
このような表示装置として、パネルシートに半透明の白色で文字や記号や模様などを表示する表示部を形成すると共に、パネルシートの裏面から前記表示部を照明することで、該表示部を光らせて表示するものが提供されている（特許文献１参照）。
【特許文献１】特開平９−６４５５０
【発明の開示】
【発明が解決しようとする課題】
【０００３】
しかしながら、近年、表示装置の外観性を高めるために、例えば、透明な表示板の裏面に光が透過、あるいは、半透過する薄い金属膜を蒸着させることにより、表示板にメタリック調の外観を与えると共に、表示板の裏面側に文字や記号を光によって表示する表示部を配置したものが提供されている。
この表示装置では、発光部が発光すると、金属膜を透過した光により表示部が視認されるが、発光部が発光しないと、金属膜によって外光が反射され表示部が視認されなくなる。
しかしながら、表示板に金属膜を蒸着する方法はコストが高く、利用範囲が限られていた。
また、従来は、表示板に直接表示部を印刷により一体的にしていることから、仕向け先、あるいは、仕様別に表示部の表示内容が異なる複数種類の表示装置を用意しておかなければならならず製造コストがかかる不利があった。
本発明はこのような事情に鑑みなされたものであり、その目的は、製造コストの低減を図りつつ優れた外観性を得る上で有利な表示装置を提供することにある。
また、本発明の目的は、表示部の表示内容が異なる場合であっても製造コストを抑制する上で有利な表示装置を提供することにある。
【課題を解決するための手段】
【０００４】
上述の目的を達成するため、本発明の表示装置は、光が透過可能な透明材料で板状に形成され、表面と該表面の反対側に位置する裏面とを有する表示板と、前記表示板の裏面に配置され、印刷により光が透過する部分と該光が透過しない部分とが形成されそれら部分により記号、文字、模様の少なくとも１つからなる表示部が形成された印刷物と、前記表示板すべてを覆う大きさの輪郭を有する光出射面および光を導入するための光導入面を有する導光部材を含み、前記印刷物を挟んで前記表示板と反対側の箇所から前記表示部に向けて光を照射する照明部とを備え、前記表示板は、前記表示板の裏面にヘアラインを呈する凹凸形状がメジウムを用いて印刷されることで形成されたヘアライン印刷層と、前記ヘアライン印刷層の前記表示板の裏面に臨む面と反対側の面に形成され、前記照明部からの光を透過あるいは半透過させるパールインク印刷層と、前記パールインク印刷層の前記表示板の裏面に臨む面と反対側の面に光を透過しない材料で形成された光を透過しない隠蔽層と、前記隠蔽層が形成されていない前記パールインク印刷層の反対側の面の部分によって構成された光が透過可能な光透過領域と、前記光透過領域に形成された暗色半透明を呈するスモーク印刷層とを備え、前記表示部と前記光透過領域と前記スモーク印刷層とは、前記表示板の厚さ方向において一致した箇所に配置されている。
【発明の効果】
【０００５】
本発明によれば、ヘアライン印刷層，パールインク印刷層およびスモーク印刷層を表示板に印刷することによりメタリック調の外観を得ることができるため、製造コストの低減を図りつつ優れた外観性を得る上で有利となる。
また、本発明によれば、表示板と印刷部を別体としたので、予め、仕向け先、あるいは、仕様別に複数種類の印刷物を用意しておくことにより、複数の印刷物から選択した印刷物と表示板とを組み合わせるという極めて簡単な作業で複数種類の表示装置を簡単に構成することができるので製造コストを抑制する上で有利となる。
【発明を実施するための最良の形態】
【０００６】
（第１の実施の形態）
次に、本発明の実施の形態について図面を参照して説明する。
図１は本発明の表示装置１０が適用されるテレビジョン装置２の外観図、図２は第１の実施の形態の表示装置１０を用いた操作部６の分解斜視図である。
テレビジョン装置２は外装を構成する筐体４を有している。
筐体４の前面４Ａは矩形枠状の枠部４Ｂを有し、枠部４Ｂの内側に映像を表示するディスプレイ８が配置されている。
筐体４の前面４Ａの下部には左右にわたって直線状に帯板状に延在する前パネル４Ｃが設けられており、前パネル４Ｃの中央にテレビジョン装置２を操作するための操作部６が組み込まれている。
【０００７】
図２に示すように、操作部６は、本発明に係る表示装置１０と、タッチスイッチ１２などを含んで構成されている。
表示装置１０は、表示板１４、印刷物１６、導光部材１８、発光部２０などを備えている。
表示板１４は、光が透過可能な透明材料で形成され板状を呈している。
このような透明材料としてアクリル樹脂など従来公知のさまざまな透明材料が採用可能である。
表示板１４の厚さ方向の一方の面は、筐体４の前方に臨む表面１４０２とされ、表示板１４の厚さ方向の他方の面は、筐体４の内側に臨む裏面１４０４とされる。すなわち、表示板１４は、表面１４０２と該表面１４０２の反対側に位置する裏面１４０４とを有している。
表示板１４の裏面１４０４には、第１のスモーク印刷層２２、隠蔽層２４、第２のスモーク印刷層２６がこの順番で形成されている。
【０００８】
第１のスモーク印刷層２２は、裏面１４０４の全域に暗色半透明を呈するスモークインクがベタ印刷されることで形成されている。
第１のスモーク印刷層２２が表示板１４の裏面１４０４に形成されることにより、後述するように表示部１６Ａによる光が表示板１４の後方から裏面１４０４に向かって照射された場合には、該光は第１のスモーク印刷層２２である程度吸収され、残りの光は第１のスモーク印刷層２２を透過して表示板１４の表面１４０２から前方に至り、使用者によって視認されることになる。
また、表示板１４の後方から裏面１４０４に向かって光が照射されない場合は、表示板１４の前方から表面１４０２に外光が照射されたとしても、外光の光量は限られていることから第１のスモーク印刷層２２によって吸収される。
したがって、第１のスモーク印刷層２２は暗色を呈することから、第１のスモーク印刷層２２を透かして第１のスモーク印刷層２２の後方の部材や部品などを視認することができない状態となる。
このような第１のスモーク印刷層２２の作用は、後述する第２のスモーク印刷層２６によっても同様に奏される。
【０００９】
隠蔽層２４は、第１のスモーク印刷層２２が裏面１４０４に臨む面と反対側の面の一部に光を透過しない材料で形成されている。
本実施の形態では、隠蔽層２４は、光を透過しない材料である黒色のインクがベタ印刷されることで形成されている。
本実施の形態では、隠蔽層２４は矩形枠状に印刷され、したがって、矩形枠の内側には、隠蔽層２４が形成されない光が透過可能な矩形状の光透過領域２４Ａが形成されている。
言い換えると、隠蔽層２４が形成されていない、第１のスモーク印刷層２２が裏面１４０４に臨む面と反対側の面の部分によって光透過領域２４が形成されている。
【００１０】
第２のスモーク印刷層２６は、光透過領域２４Ａに暗色半透明を呈するスモークインクがベタ印刷されることで形成されている。
【００１１】
印刷物１６は表示板１４の裏面１４０４に配置され、表示板１４と別体に構成された合成樹脂製のシートの厚さ方向の一方の面に光を透過しない例えば黒色のインクがベタ印刷されることで形成されている。
前記シートは表示板１４の輪郭よりも一回り小さな輪郭で形成されている。
印刷物１６は、印刷により光が透過する部分と該光が透過しない部分とが形成されそれら部分により記号、文字、模様の少なくとも１つからなる表示部１６Ａが１つあるいは複数形成されている。
表示部１６Ａは図３に示すように、例えば、入力切換、音量増減操作用の＋、−の記号、チャンネル切換操作用の＋、−の記号などを含んで構成されている。
印刷物１６の一例を図３に示し、図３（Ａ）乃至（Ｆ）はそれぞれ印刷物１６の平面図である。
それら印刷物１６は、図３（Ａ）、（Ｂ）、（Ｄ）、（Ｅ）、（Ｆ）に示すように、日本語、英語、中国語、韓国語などの言語別に複数用意されている。
あるいは、印刷物１６は、図３（Ｂ）、（Ｃ）に示すように、言語が同じでも表示内容別に複数用意されている。
印刷物１６は、表示板１４の裏面１４０４に重ね合わせて接着剤あるいは両面粘着テープなどにより接着されて配置されている。
印刷物１６が表示板１４の裏面１４０４に配置された状態で、表示部１６Ａと第１のスモーク印刷層２２と第２のスモーク印刷層２６は、表示板１４の厚さ方向において一致した箇所に配置されている。
【００１２】
導光部材１８は、光を透過し拡散する合成樹脂材料で形成された板状を呈している。
導光部材１８は、その厚さ方向の一方の面が印刷物１６の表示部１６Ａ全てを覆う大きさの輪郭を有する光出射面１８Ａとして構成され、光出射面１８Ａと交差する端面が光を導入するための光導入面１８Ｂとして構成されている。
導光部材１８は、印刷物１６を挟んで表示板１４の裏面１４０４の後方に光出射面１８Ａを臨ませて配置され、したがって、印刷物１６の背面に光出射面１８Ａが臨んでいる。
【００１３】
発光部２０は、導光部材１８の光導入面１８Ｂに向けて光を照射するものであり、発光ダイオードなどの従来公知のさまざまな光源が採用可能である。
発光部２０から光導入面１８Ｂを介して導光部材１８の内部に導入された光は、光出射面１８Ａから印刷物１６に向けて照射される。
本実施の形態では、導光部材１８および発光部２０により、印刷物１６を挟んで表示板１４と反対側の箇所から表示部１６Ａに向けて光を照射する照明部が構成されている。
【００１４】
タッチスイッチ１２は、基板１２Ａと、基板１２Ａの表面に形成されたタッチセンサ１２Ｂとを含んで構成されている。
タッチスイッチ１２は、タッチセンサ１２Ｂを表示板１４の裏面１４０４に臨ませて配置されている。
タッチセンサ１２Ｂは、表示部１６Ａの例えば、入力切換、音量増減操作用の＋、−の記号、チャンネル切換操作用の＋、−の記号などの箇所に配置されている。
タッチセンサ１２Ｂは、表示板１４の表面１４０２を触れた指先を検出して検出信号を生成し、テレビジョン装置２の図示しない制御部に供給するものである。
タッチスイッチ１２Ｂとしては、静電容量式のタッチセンサなど従来公知のさまざまなセンサが採用可能である。
【００１５】
次に動作について説明する。
テレビジョン装置２の電源が投入されると、テレビジョン装置２の制御部は発光部２０を発光させる。
これにより、導光部材１８の光出射面１８Ａにより印刷物１６がその裏面から照射され、表示部１６Ａを透過した光が第２のスモーク印刷層２６、光透過領域２４Ａ、第１のスモーク印刷層２２を介して表示板１４の表面１４０２に至り、これにより、表示部１６Ａが光った状態で視認される。言い換えると、表示部１６Ａ（キャラクター）が浮かび上がった状態で表示される。
この状態で表示板１４の表面１４０２を指先で触れると、該指先がタッチセンサ１２Ｂによって検出され、これによりテレビジョン装置２の制御部は、タッチセンサ１２Ｂから供給される検出信号に基づいて選局や音量の調整などの所定の動作を行う。
テレビジョン装置２の電源がオフされると、テレビジョン装置２の制御部は発光部２０の発光を停止する。
これにより、表示板１４の表面１４０２から見て、印刷物１６の表示部１６Ａは、それらから光が照射されなくなることから、第１、第２のスモーク印刷層２２、２６の２つのスモーク印刷層によって視認不能となる。
また、第１のスモーク印刷層２２が表示板１４の裏面１４０４の全域にベタ印刷されているため、表示板１４の表面１４０２から見て、隠蔽層２４と光透過領域２４Ａとの境界が隠されるため、表示板１４の表面１４０２はその全体にわたって均一な外観として視認される。
また、発光部２０の発光、非発光に拘わらず、隠蔽層２４により該隠蔽層２４の後方に位置する部品や部材が隠されることにより外観性の確保が図られている。
【００１６】
本実施の形態によれば、表示板１４と印刷物１６とが別体に構成されているので、図３（Ａ）乃至（Ｆ）に示すように、予め、仕向け先、あるいは、仕様別に複数種類の印刷物１６を用意しておくことにより、複数の印刷物１６から選択した印刷物１６と表示板１４とを組み合わせるという極めて簡単な作業で複数種類の表示装置１０を簡単に構成することができる。
したがって、予め、仕向け先、あるいは、仕様別に複数種類の表示装置を用意しておく場合に比較して製造コストの低減を図る上で有利となる。
すなわち、図５に示すように、従来、表示装置１００は、表示板１０２の背面１０４に第１、第２のスモーク印刷層１０６、１０７が形成されている。
そして、第２のスモーク印刷層１０７の背面に光を透過しない黒色のインクがベタ印刷されることで表示部用印刷層１０８が表示板１０２と一体に形成されている。
すなわち、表示用印刷層１０８は、インクが印刷されない部分によって文字や記号や枠線、模様などの表示部１１０が形成され、表示部１１０を除く部分全てにインクが印刷されている。
【００１７】
これに対して、従来の表示装置１００は、表示板１０２の後方から光源１１２により光を照射することにより、表示部１１０を光らせて表示板１０２の前面１０１側から視認するものである。
したがって、従来は、表示板１０２に直接表示部用印刷層１０８が一体に形成されていることから、仕向け先、あるいは、仕様別に表示部１１０の表示内容が異なる複数種類の表示装置１００を用意しておかなければならならず製造コストがかかる不利があったのに対し、本実施の形態ではそのような製造コストを大幅に削減することができ有利となるものである。
【００１８】
また、発光部２０が発光せず、表示部１６Ａが光っていない状態では、第１、第２のスモーク印刷層２２、２６の２つのスモーク印刷層によって印刷物１６の表示部１６Ａが目立たなくなるため、表示板１４の表面１４０２はその全体にわたって均一な外観となり、印刷物１６が無い状態として視認される。
したがって、表示装置１０の外観性、デザイン性の向上を図る上で有利となる。
【００１９】
（第２の実施の形態）
次に第２の実施の形態について説明する。
第１の実施の形態では、表示部１６Ａが光っていない状態では第１、第２のスモーク印刷層２２、２６によって表示部１６Ａが視認されないように構成されていたのに対し、第２の実施の形態では、表示部１６Ａが光っていない状態では、パールインク印刷層３２によって表示部１６Ａが視認されないように構成した点が第１の実施の形態と相違している。
【００２０】
図４は第２の実施の形態における表示装置１０を用いた操作部６の分解斜視図である。
なお、以下では、第１の実施の形態と同一または同様の部分、部材には同一の符号を付してその説明を簡単に行う。
図４に示すように、操作部６は、第１の実施の形態と同様に、本発明に係る表示装置１０と、タッチスイッチ１２などを含んで構成され、表示装置１０は、表示板１４、印刷物１６、導光部材１８、発光部２０などを備えている。
【００２１】
表示板１４は、第１の実施の形態と同様に、光が透過可能な透明材料で形成され板状を呈し、表示板１４は、表面１４０２と該表面１４０２の反対側に位置する裏面１４０４とを有している。
表示板１４の裏面１４０４には、ヘアライン印刷層３０、パールインク印刷層３２、隠蔽層３４、スモーク印刷層３６がこの順番で形成されている。
【００２２】
ヘアライン印刷層３０は、表示板１４の裏面１４０４の全域に、光を透過するメジウムを用いてヘアラインが印刷される。言い換えると、表示板１４の裏面１４０４の全域に、メジウム印刷によりヘアラインを呈する凹凸形状が形成される。
【００２３】
パールインク印刷層３２は、ヘアライン印刷層３０の表示板１４の裏面１４０４に臨む面と反対側の面の全域に、パールインクがベタ印刷されることで光を透過、あるいは、半透過するように構成されている。
言い換えると、パールインク印刷層３２はヘアライン印刷層３０上に形成され、パールインク印刷層３２は、ヘアライン印刷層３０を介して表示板１４の裏面１４０４に設けられている。
パールインクは、パール顔料と呼ばれる無機顔料が透明なメジウムに添加されたインクであり、パールインクで印刷された部分は外光を受けるとパールのような色調で反射し、言い換えると、メタリック調の外観で視認される。
また、パールインクはその組成を調整することにより種々の色調を得ることができるため、メタリック調の外観のカラーバリエーションは任意である。
パールインク印刷層３２が、ヘアライン印刷層３０の表示板１４の裏面１４０４に臨む面と反対側の面の全域に形成されることにより、後述するように表示部１６Ａによる光が表示板１４の後方から裏面１４０４に向かって照射された場合には、該光はパールインク印刷層３２である程度吸収され、残りの光はスモーク印刷層３６を透過して表示板１４の表面１４０２から前方に至り、使用者によって視認されることになる。
また、表示板１４の後方から裏面１４０４に向かって光が照射されない場合は、表示板１４の前方から表面１４０２に外光が照射されると、外光はパールインク印刷層３２によって反射されメタリック調の外観となりため、パールインク印刷層３２を透かしてパールインク印刷層３２の後方の部材や部品などを視認することができない状態となる。
【００２４】
隠蔽層３４は、パールインク印刷層３２がヘアライン印刷層３０に臨む面と反対側の面の一部に光を透過しない材料で形成されている。
本実施の形態では、隠蔽層３４は、光を透過しない材料である黒色のインクがベタ印刷されることで形成されている。
本実施の形態では、隠蔽層３４は矩形枠状に印刷され、したがって、矩形枠の内側には、隠蔽層２４が形成されない光が透過可能な矩形状の光透過領域３４Ａが形成されている。
【００２５】
スモーク印刷層３６は、光透過領域３４Ａに暗色半透明を呈するスモークインクがベタ印刷されることで形成されている。
スモーク印刷層３６が光透過領域３４Ａに形成されることにより、後述するように表示部１６Ａによる光が表示板１４の後方から裏面１４０４に向かって照射された場合には、該光はスモーク印刷層３６である程度吸収され、残りの光はスモーク印刷層３６を透過して表示板１４の表面１４０２から前方に至り、使用者によって視認されることになる。
また、表示板１４の後方から裏面１４０４に向かって光が照射されない場合は、表示板１４の前方から表面１４０２に外光が照射されたとしても、外光の光量は限られていることからスモーク印刷層３６によって吸収される。
したがって、スモーク印刷層３６は暗色を呈することから、スモーク印刷層３６を透かしてスモーク印刷層３６の後方の部材や部品などを視認することができない状態となる。
【００２６】
印刷物１６は、第１の実施の形態と同様に構成され、表示板１４の裏面１４０４に重ね合わせて接着剤あるいは両面粘着テープなどにより接着されて配置されている。
印刷物１６が表示板１４の裏面１４０４に配置された状態で、表示部１６Ａと光透過領域３４Ａとスモーク印刷層３６とは、表示板１４の厚さ方向において一致した箇所に配置されている。
また、導光部材１８および発光部２０からなる照明部、タッチスイッチ１２は、それぞれ第１の実施の形態と同様に構成されている。
【００２７】
次に動作について説明する。
テレビジョン装置２の電源が投入されると、テレビジョン装置２の制御部は発光部２０を発光させる。
これにより、導光部材１８の光出射面１８Ａにより印刷物１６がその裏面から照射され、表示部１６Ａを透過した光がスモーク印刷層３６、光透過領域３４Ａ、パールインク印刷層３２、ヘアライン印刷層３０を介して表示板１４の表面１４０２に至り、これにより、表示部１６Ａが光った状態で視認される。言い換えると、透過型のキャラクターが浮かび上がった状態で表示される。
この状態で表示板１４の表面１４０２を指先で触れると、該指先がタッチセンサ１２Ｂによって検出され、これによりテレビジョン装置２の制御部は、タッチセンサ１２Ｂから供給される検出信号に基づいて選局や音量の調整などの所定の動作を行う。
テレビジョン装置２の電源がオフされると、テレビジョン装置２の制御部は発光部２０の発光を停止する。
これにより、表示板１４の表面１４０２から見て、印刷物１６の表示部１６Ａは、それらから光が照射されなくなることから、ヘアライン印刷層３０、パールインク印刷層３２、スモーク印刷層３６の３つの印刷層によって視認不能となる。
また、パールインク印刷層３２がヘアライン印刷層３０を挟んで表示板１４の裏面１４０４の全域にベタ印刷されているため、表示板１４の表面１４０２から見て、隠蔽層３４と光透過領域３４Ａとの境界が隠され視認不能となる。
すなわち、ヘアライン印刷層３０、パールインク印刷層３２、スモーク印刷層３６の３つの印刷層が重ね合わされた状態で視認されることにより、また、隠蔽層３４と光透過領域３４Ａとの境界がパールインク印刷層３２によって隠されることにより、表示板１４の表面１４０２はその全体にわたって均一なメタリック調のヘアラインが施された外観となり、印刷物１６が無い状態として視認される。
また、発光部２０の発光、非発光に拘わらず、隠蔽層３４により該隠蔽層３４の後方に位置する部品や部材が隠されることにより外観性の確保が図られている。
【００２８】
このような第２の実施の形態によれば、第１の実施の形態と同様の作用効果が奏される。
また、ヘアライン印刷層３０、パールインク印刷層３２、スモーク印刷層３６の３つの印刷層を表示板１４に印刷するという安価な構成でメタリック調のヘアラインが施された外観を得ることができ有利となる。
特に、表示板１４の裏面１４０２に薄い金属膜を蒸着で形成することによって光が透過、あるいは、半透過となる効果を得ることができるが、このように蒸着を用いた製造方法は製造コストが高くなる不利があるのに対して、本実施の形態では、コストを削減する上で有利となっている。
また、従来メタリック調の外観を得るために使用されるメタリックインクやミラーインクを用いて表示板１４に印刷を行った場合、それらのインクは、金属の微粉末を含むため、光が透過しにくく、表示板１４に透過、半透過の機能を与えることが困難であったが、本実施の形態では、ヘアライン印刷層３０、パールインク印刷層３２、スモーク印刷層３６の３つの印刷層を表示板１４に印刷するという簡単な構成で表示板１４に透過、半透過の機能を与えることができる。
【００２９】
なお、第２の実施の形態では、ヘアライン印刷層３０を形成することにより、表示板１４がメタリック調のヘアラインが施された外観を呈するようにしたが、ヘアライン印刷層３０を省略してもよく、その場合は、表示板１４が均一なメタリック調の外観を呈することになる。
しかしながら、第２の実施の形態のようにヘアライン印刷層３０を形成すると、表示板１４の外観の質感をより向上させることができ高級感を与える上でより一層有利となる。
【００３０】
なお、第２の実施の形態では、印刷物１６が、表示板１４と別体に構成された透明なシートに光を透過しないインクが印刷されることで形成されている場合について説明したが、スモーク印刷層３６が光透過領域３４Ａに臨む面と反対側の面に印刷物を形成し、該印刷物をスモーク印刷層３６を介して表示板１４の裏面１４０４に設けるようにしてもよい。
この場合は、表示板１４と印刷物とが一体に構成されることになるが、発光部２０が発光せず、表示部１６Ａが光っていない状態では、表示板１４の表面１４０２はその全体にわたって均一なメタリック調の外観となり、印刷物１６が無い状態として視認されることで表示装置１０の外観性、デザイン性の向上を図る上で有利となる。
【００３１】
また、第１の実施の形態において表示板１４に形成した第１、第２のスモーク印刷層２２、２６、および、第２の実施の形態において表示板１４に形成したヘアライン印刷層３０、パールインク印刷層３２、スモーク印刷層３６は、それら印刷層を赤外線信号が通過する際に赤外線信号が受ける影響（減衰）は無視できる程度である。
したがって、第１、第２の実施の形態において、表示板１４の後方に赤外線リモコンから送信される赤外線信号を受信する受光部を配置することができることはもちろんである。
また、本実施の形態では、表示装置１０がタッチスイッチ１２と共に操作部６を構成している場合について説明したが、本発明は、表示装置１０が操作部６を構成せず、表示部１６Ａによる表示のみを行うインジケータなどを構成する場合にも無論適用可能である。
また、本実施の形態では、表示装置１０がテレビジョン装置２に適用された場合について説明したが、本発明は、種々の電子機器に広く用いることができることは無論である。
【図面の簡単な説明】
【００３２】
【図１】本発明の表示装置１０が適用されるテレビジョン装置２の外観図である。
【図２】第１の実施の形態の表示装置１０を用いた操作部６の分解斜視図である。
【図３】Ａ）乃至（Ｆ）は印刷物１６の平面図である。
【図４】第２の実施の形態における表示装置１０を用いた操作部６の分解斜視図である。
【図５】従来の表示装置１００の分解斜視図である。
【符号の説明】
【００３３】
１０……表示装置、１４……表示板、１４０２……表面、１４０４……裏面、１６……印刷物、１６Ａ……表示部、２２……第１のスモーク印刷層、２４……隠蔽層、２４Ａ……光透過領域、２６……第２のスモーク印刷層、３２……パールインク印刷層、３４……隠蔽層、３４Ａ……光透過領域、３６……スモーク印刷層。
【図１】
0004683069.tif 000002
【図２】
0004683069.tif 000003
【図３】
0004683069.tif 000004
【図４】
0004683069.tif 000005
【図５】
0004683069.tif 000006